(57)【要約】【課題】本発明はプレハブ組立型せん断壁を提供する。【解決手段】本発明は，プレストレスト筋を挿通させるための挿通孔が設けられ、挿通孔の入口と出口の両方に凹溝が設けられる若干の部品と、凹溝中に設けられる接続継手において、前錨止端及び後錨止端を含み、前錨止端と後錨止端の間に空腔が設けられ、前錨止端と後錨止端がそれぞれ個別のプレストレスト筋に接続される接続継手と、及び、プレストレスト筋を固定するための錨具において、プレストレスト筋の一端が錨具によって挿通孔の入口に固定され、その他端が前記部品の内部を貫通し錨具によって挿通孔の出口又は隣り合う部品の挿通孔の入口に固定される錨具と、を含む。せん断壁を完全に取り外すことができ、伝統的なプレハブせん断壁の組み立ての過程が複雑で、組み立てた後に取り外すことができない問題を解決し、これにより組み立ての過程を簡略化し、資源を節約し、工事汚染を減らして組み立ての品質とコストを下げる目的を達する。【選択図】図１
2018162657.tif 000002
【特許請求の範囲】
【請求項１】
プレハブ組立型せん断壁であって、前記プレハブ組立型せん断壁は、プレストレスト筋を挿通させるための挿通孔が設けられ、前記挿通孔の入口と出口の両方に凹溝が設けられる若干の部品と、前記凹溝中に設けられる接続継手において、前錨止端及び後錨止端を含み、前記前錨止端と前記後錨止端の間に空腔が設けられ、前記前錨止端と前記後錨止端がそれぞれ個別のプレストレスト筋に接続される前記接続継手と、及び前記プレストレスト筋を固定するための錨具において、前記プレストレスト筋の一端が前記錨具によって前記挿通孔の入口に固定され、その他端が前記部品の内部を貫通し前記錨具によって前記挿通孔の出口又は隣り合う前記部品の挿通孔の入口に固定される前記錨具と、を含み、前記プレハブ組立型せん断壁において、前記部品は十字状部品と略T字状部品を含み、前記十字状部品の断面は十字状であって、前記十字状部品の各辺の辺長は等しくて、前記略T字状部品の断面は略T字状であって、前記略T字状は一つの長方形と一つの正方形を有し、前記長方形の長辺の長さはその短辺の長さの4倍であり、前記長方形の短辺の長さは前記正方形の辺長の長さと等しく、前記正方形から前記長方形の短辺までの最短距離は短辺の長さであり、前記十字状の各辺の辺長が前記略T字状における正方形の辺長と等しく、前記プレハブ組立型せん断壁は組立て済み部品を縫合するための外接続板をさらに含み、前記外接続板は十字状接続部、T字状接続部、及び一字状接続部を含み、前記一字型接続部は、一端に三角形の先端が設けられる一字型接続部と、両端に三角形先端が設けられる一字型接続部とを含み、前記接続継手はボルトによって前記凹溝中に固定され、前記空腔は非封止型空腔であり開口が設けられていることを特徴とするプレハブ組立型せん断壁。
【発明の詳細な説明】
【技術分野】
【０００１】
本発明は建築工事の分野に属し、特に一種のプレハブ組立型せん断壁に関する。
【背景技術】
【０００２】
プレハブ組立型コンクリート構造建築は、工場が生産したコンクリート組立部品を工事現場で組み立て、「つながる建築」で「四つの節約、一つの環境保護」のエコ発展要求に適応した。そのため、近年、国は「エコ建築行動計画」、「国務院事務局は組立型建築の発展の強化に関する指導意見」などの政策措置を公布し、工業化生産に適合する組立型コンクリート建築を強く発展し普及させることを明確にし、組立型建築を発展することは建築方式の重大な変革で、供給側の構造的な改革と新型都市化の発展を推進する重要な措置であり、資源エネルギーを節約し、工事汚染を減らし、労働生産効率と品質安全レベルを向上させて、建築業と情報化工業化の深い融合を促進し、新興産業と新興エネルギーを育成し、過剰生産能力をなくすことを推進することに有利であり、非常に重要な意義と役割がある。
【０００３】
中国特許出願（特許出願番号201310438768.2）の中に一種の組立型せん断壁とその組立方法を開示した。組立型コンクリート構造プレハブと工事技術分野に属し、伝統的なプレハブせん断壁の組立が複雑で、組立品質の検査が難しいなどの問題を解決することに使う。組立型せん断壁は少なくとも一つの下層プレハブせん断壁板と一つの上層プレハブせん断壁板を含み、その中に下層プレハブせん断壁板の上で多くの鉄筋接続ボルトを組み込んで、上層プレハブせん断壁板の下端に多くの鉄筋接続ボルトと対応するボルト穴が設置され、すべての鉄筋接続ボルトは同じボルト穴で交互し、一つのナットを通じて固く接続され、すべてのボルト穴は一つの取り付け穴と連結する。
【０００４】
中国特許出願（特許出願番号201410088455.3）の中に一種の組立型鋼板せん断壁を開示した。構造工程技術分野に属する。この組立型鋼板せん断壁はビルトイン型鋼板、垂直エッジ部材、水平エッジ部材、高力ボルト、L型接続板、軸組柱、軸組はりで構成され、ビルトイン型鋼板は薄い鋼板を使って、垂直エッジ部材、水平エッジ部材はT型鋼を使って、L型接続板はボルト穴付けの鋼板で、ビルトイン型鋼板は垂直エッジ部材と水平エッジ部材と接続し、水平エッジ部材は軸組はりと接続し、垂直エッジ部材、水平エッジ部材はL型接続板を通じて接続し、軸組はりは軸組柱と接続する。
【０００５】
中国特許出願（特許出願番号201610356304.0）の中に一種の組立型消費軸組せん断壁を開示した。はり溝形鋼、柱溝形鋼、鋼板壁、ガセットピン、ガセットボルト、軸組ボルト、インソール板、巻きボルト、溝形鋼巻きリブで構成され、軸組はりは二つのはり溝形鋼で構成され、軸組は二つの柱溝形鋼と二つのインソール板で構成され、はり柱接続の位置ではり溝形鋼のフランジを切り取って、軸組はりの中のインソール板と対応する位置を挿入する。はり柱腹板はそれぞれ両側から鋼板壁を中間に挟んで、軸組上の軸組ボルトとはり柱ガセット位置にあるガセットピンとガセットボルトを通じて鋼板壁を固定し、鋼板壁の上は巻きボルトを使って溝形鋼を固定し、リブを巻く。
【０００６】
上記の技術方案の欠点は下記のとおりである。
【０００７】
1、現場で二回、コンクリート或いはグラウチング材料を流し込むことでプレハブ部材が全体に連続する。
【０００８】
2、組み立てが完成した後取り外すことができない。
【先行技術文献】
【特許文献】
【０００９】
【特許文献１】中国特許第103510640号明細書
【特許文献２】中国実用新案第203546944号明細書
【発明の概要】
【発明が解決しようとする課題】
【００１０】
既存の技術の欠点に対して、本発明はプレハブ組立型せん断壁を提供し、伝統的なプレハブせん断壁の組み立ての過程が複雑で、組み立てた後に取り外すことができない問題を解決し、これにより組み立ての過程を簡略化し、資源を節約し、工事汚染を減らして組み立ての品質とコストを下げる目的を達する。
【課題を解決するための手段】
【００１１】
上記の目的を実現するため、本発明はプレハブ組立型せん断壁を提供し、それは以下を含む。
【００１２】
プレストレスト筋を挿通させるための挿通孔が設けられ、挿通孔の入口と出口の両方に凹溝が設けられる若干の部品と、凹溝中に設けられる接続継手において、前錨止端及び後錨止端を含み、前錨止端と後錨止端の間に空腔が設けられ、前錨止端と後錨止端がそれぞれ個別のプレストレスト筋に接続される接続継手と、及びプレストレスト筋を固定するための錨具において、プレストレスト筋の一端が錨具によって挿通孔の入口に固定され、その他端が部品の内部を貫通し錨具によって挿通孔の出口又は隣り合う部品の挿通孔の入口に固定される錨具と、を含む。
【００１３】
本発明の中にアンカーは連結装置と結合して一緒に使うことができ、単独で使用することもできる。プレストレス力筋の一端はアンカーを通じてスルーホールの入り口で固定され、もう一端は部材内部のスルーホールを通り抜けてもう一つの溝に至り、もし次の部材を接続する必要があれば、次の部材の溝に連結装置が設置され、プレストレス力筋がアンカーを通じて連結装置で固定され、もし次の部材を接続する必要がなければ、プレストレス力筋が直接的にアンカーを通じて部材の溝で固定される。
【００１４】
本発明に隣接する部材の間にプレストレス力鉄筋で接続し、隣接する部材間の緊密な接続を保証する。プレストレス力鉄筋は完全にすべてのせん断壁壁体を貫通せず、隣接する部材の接続にすべての連結装置の前アンカー固定端末と後アンカー固定端末がそれぞれ違うプレストレス力筋と接続し、その中に一本のプレストレス力鉄筋が破壊されても、構造全体に対する影響が少ない。
【００１５】
本発明のもう一つの具体的な実施方案によれば、部材はクロス型部材、略類Ｔ型部材を含む。すべての組立型せん断壁は二種の組立型部材があり、二種の部材の合理的な組み立てを通じて、せん断壁を完成することができ、工業化生産に有利である。
【００１６】
本発明のもう一つの具体的な実施方案によれば、十字状部品の断面は十字状であって、十字状部品の各辺の辺長は等しく、壁体の厚さは現場のニーズに応じて事前に選択でき、壁体の共通性を高める。
【００１７】
本発明のもう一つの具体的な実施方案によれば、略T字状部品の断面は略T字状であって、略T字状は一つの長方形と一つの正方形を有し、長方形の長辺の長さはその短辺の長さの4倍であり、長方形の短辺の長さは正方形の辺長の長さと等しく、正方形から長方形の短辺までの最短距離は短辺の長さである。
【００１８】
本発明のもう一つの具体的な実施方案によれば、十字状の各辺の辺長が略T字状における正方形の辺長と等しく、取り付ける時略類Ｔ型部材の中の突起がクロス型部材の中の隣接する二つの突起と結合し取り付ける。せん断壁の外側で取り付けるクロス型部材は最大限に一つの突起が壁体の側面に位置し、そのほかは壁体の中心に位置する。この二種の部材の合理的な組み合わせを通じて、要求に適合する長方形面せん断壁を組み立てることができる。
【００１９】
本発明のもう一つの具体的な実施方案によれば、プレハブ組立型せん断壁は組立て済み部品を縫合するための外接続板をさらに含み、この外接続板を鋼板に選択し、ボルトを通じて部材接続部分で固定し、隣接する二つの部材を接続する。その広さの範囲は150mm〜250mmである。
【００２０】
本発明のもう一つの具体的な実施方案によれば、外接続板は十字状接続部、T字状接続部、及び一字状接続部を含み、クロス型連結部品、Ｔ型連結部品のエッジ部分は三角形の先端で、互いに結合し使うことができる。
【００２１】
本発明のもう一つの具体的な実施方案によれば、一字型接続部は、一端に三角形の先端が設けられる一字型接続部と、両端に三角形先端が設けられる一字型接続部とを含み、その中に、一端で三角形の先端が設けられる一字型連結部品はすべての壁体のエッジ部分で使う。
【００２２】
本発明のもう一つの具体的な実施方案によれば、接続継手はボルトによって凹溝中に固定される。
【００２３】
本発明のもう一つの具体的な実施方案によれば、空腔は非封止型空腔であり、開口が設けられている。プレストレス力筋はこのキャビティを通り抜け、現場操作に便利である。取り付けに各種の実施可能な方法を提供することができる。
【００２４】
本発明の一種の組み立てる方法は以下の通りである。
【００２５】
ステップ一、いくつかの部材、連結装置、アンカーを提供し、部材の上にスルーホールが設置され、スルーホールの入り口と出口に溝が設置される。凹溝中に設けられる接続継手において、前錨止端及び後錨止端を含み、前錨止端と後錨止端の間に空腔が設けられ、例えばエッジに位置する一つの略類Ｔ型部材と一つの内部のクロス部材を組み立て、連結装置をボルトを通じてクロス部材のスルーホールの入り口で固定する。
【００２６】
ステップ二、プレストレス力筋の一端をクロス部材のスルーホールの連結装置の前錨止端で固定する。
【００２７】
ステップ三、プレストレス力筋を略類Ｔ型部材のスルーホールを通り抜け、プレストレス力筋にプレストレス力を加え、もう一端をアンカーを通じて溝で固定する。
【００２８】
ステップ四、壁体が組み立て完了した後、ボルトを使って外接続板を接続隙間で固定し補強する。
【発明の効果】
【００２９】
1、組み立てる過程を簡略化し、効率を高めて、工事強度を下げる。
【００３０】
2、せん断壁を完全に取り外すことができ、浪費がなく、資源を節約する。
【００３１】
3、プレストレス力鉄筋はすべてのせん断壁を貫通せず、隣接する部材間の接続方式を使って、隣接する部材の緊密な接続を保障し、その中に一本のプレストレス力鉄筋が破壊されても、構造全体に対する影響が少ない。
【００３２】
4、この形式を使う組み合わせは一つの完全な空腔が形成されず、壁体の全体性を保証する。
【図面の簡単な説明】
【００３３】
【図１】図１は実施例1のプレハブ組立型せん断壁の全体構造の模式図である。
【図２】図２はクロス部材を表示する実施例1のプレハブ組立型せん断壁の部分構造の模式図である。
【図３】図3はT型部材を表示する実施例1のプレハブ組立型せん断壁の部分構造の模式図である。
【図４】図4は連結装置を表示する実施例1のプレハブ組立型せん断壁の部分構造の模式図である。
【発明を実施するための形態】
【００３４】
下記は付図を結合して本発明をさらに詳しく説明する。
【００３５】
実施例1
【００３６】
この実施例はプレハブ組立型せん断壁を提供し，図1-2に開示のように，それは部材１、連結装置２を含む。
【００３７】
その中に、部材１はクロス型部材１１、略類Ｔ型部材１２、クロス型部材１１の上にプレストレス力筋を通り抜けるスルーホール１１１が設置され、スルーホールの入り口１１２と出口１１３に溝１１４が設置され、略類Ｔ型部材１２の上にプレストレス力筋を通り抜けに用いるスルーホール１２１が設置され、スルーホールの入り口１２２と出口１２３に溝１２４が設置される。
【００３８】
連結装置２は溝１０４の中で固定され、前アンカー固定端末２０１と後アンカー固定端末２０２を含み、前アンカー固定端末と後アンカー固定端末の間にキャビティ２０３が設置され、前アンカー固定端末と後アンカー固定端末がそれぞれ違うプレストレス力筋と接続する。
【００３９】
プレストレス力筋を固定する用のアンカーは(図の中で表示されていない) プレストレス力筋の一端はアンカーを通じてスルーホールの入り口１１２で固定され、もう一端は部材１１の内部を通り抜けてアンカーを通じてスルーホールの出口１１３、或いは隣接する部材スルーホールの入り口１１２で固定される。
【００４０】
前記実施形態は、本発明のかなり優れた実施方式であるが、これら実施形態を使用した目的は、本発明を説明するためであり、本発明を限定するのではない。本発明の原則と原理を違反しないことを前提に行った変更、修正、代替、簡略化は、全部同等の置換方式として取り扱うものとし、全部本発明の保護範囲に含まれる。
【図１】
2018162657.tif 000003
【図２】
2018162657.tif 000004
【図３】
2018162657.tif 000005
【図４】
2018162657.tif 000006
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
プレハブ組立型せん断壁であって、前記プレハブ組立型せん断壁は、プレストレスト筋を挿通させるための挿通孔が設けられ、前記挿通孔の入口と出口の両方に凹溝が設けられる部品と、前記凹溝中に設けられる接続継手において、前錨止端及び後錨止端を含み、前記前錨止端と前記後錨止端の間に空腔が設けられ、前記前錨止端と前記後錨止端がそれぞれ個別のプレストレスト筋に接続される前記接続継手と、及び前記プレストレスト筋を固定するための錨具において、前記プレストレスト筋の一端が前記錨具によって前記挿通孔の入口に固定され、その他端が前記部品の内部を貫通し前記錨具によって前記挿通孔の出口又は隣り合う前記部品の挿通孔の入口に固定される前記錨具と、を含み、前記プレハブ組立型せん断壁において、前記部品は十字状部品と略T字状部品を含み、前記十字状部品の断面は十字状であって、前記十字状部品の各辺の辺長は等しくて、前記略T字状部品の断面は略T字状であって、前記略T字状は一つの長方形と一つの正方形を有し、前記長方形の長辺の長さはその短辺の長さの4倍であり、前記長方形の短辺の長さは前記正方形の辺長の長さと等しく、前記正方形から前記長方形の短辺までの最短距離は短辺の長さであり、前記十字状の各辺の辺長が前記略T字状における正方形の辺長と等しく、前記プレハブ組立型せん断壁は組立て済み部品を縫合するための外接続板をさらに含み、前記外接続板は十字状接続部、T字状接続部、及び一字状接続部を含み、前記一字型接続部は、一端に三角形の先端が設けられる一字型接続部と、両端に三角形先端が設けられる一字型接続部とを含み、一端に三角形の先端が設けられる前記一字型接続部は壁体全体のエッジ部分との接続に使用され、前記接続継手はボルトによって前記凹溝中に固定され、前記空腔は非封止型空腔であり開口が設けられており、
取り付ける時、前記略Ｔ型部材の中の突起が前記十字状部品の中の隣接する二つの突起と結合し取り付け、せん断壁の外側で取り付ける前記十字状部品は最大限に一つの突起が壁体の側面に位置し、そのほかは壁体の中心に位置し、
前記十字状接続部と前記T字状接続部のエッジ部分は三角形の先端であり、互いに結合することでき、
前記十字状部品の上にプレストレス筋を通り抜けるスルーホールが設置され、スルーホールの入り口と出口に溝が設置され、前記略Ｔ型部材の上にプレストレス筋を通り抜けに用いるスルーホールが設置され、スルーホールの入り口と出口に溝が設置されていることを特徴とするプレハブ組立型せん断壁。